(57)【要約】      （修正有）【課題】絶縁材をフッ素樹脂にしても、カシメ固定後ピンの回転、ラグ端子の回転を無くしたピングラフの提供をする。【解決手段】ピンプラグのピンの絶縁材との接触面にローレット加工、ショットブラスト加工等の荒らし加工を施して、フッ素樹脂を絶縁材とした場合に、カシメの圧力によりフッ素樹脂が圧縮されピンの荒れた面に食い込み密着を良くすると共にフランジの一端のカシメ部の一部をラグ端子の柱部の幅切りかけて、ラグ端子をカシメた際に柱部にカシメ部が当たらなくして、ラグ端子を均一にかしめ、フッ素樹脂に均一な圧力を加えラグ端子の回転を止めると共にピンの回転を無くする。【選択図】図１
0003138521.tif 000002
【実用新案登録請求の範囲】
【請求項１】
電子楽器、マイクロフォン、アンプ等を接続するピンプラグにおいて、ピンプラグの電極間を絶縁する絶縁材をフッ素樹脂とし、一方の電極であるピンのフッ素樹脂と接触する面に滑り止めの荒し加工を施し、他方の電極であるフランジに対して、ピンが回転しないようにした電子楽器、マイクロフォン、アンプ等を接続するピンプラグ
【請求項２】
電子楽器、マイクロフォン、アンプ等を接続するピンプラグにおいて、ピンプラグの電極間を絶縁する絶縁材をフッ素樹脂とし、一方の電極であるピンを、前述のフッ素樹脂を介して、他方の電極であるフランジにフランジの端子であるラグ端子と共に、フランジの先端のカシメ部でカシメ一体化するにあたり、フランジの先端のカシメ部の一部をラグ端子の柱部幅以上切りかけてラグ端子の柱部をカシメない様にして、ピン、フッ素樹脂、フランジ、ラグ端子のカシメ一体化の均一化とラグ端子の回転止めとラグ端子の柱部の曲がり、歪みを無くした電子楽器、マイクロフォン、アンプ等を接続するピンプラグ
【請求項３】
一方の電極であるピンを、前述のフッ素樹脂を介して、他方の電極であるフランジにフランジの端子であるラグ端子と共に、フランジの先端のカシメ部でカシメ一体化するにあたり、フランジの先端のカシメ部の一部をラグ端子の柱部幅以上切りかけてラグ端子の柱部をカシメない様にして、ピン、フッ素樹脂、フランジ、ラグ端子のカシメ一体化の均一化とラグ端子の回転止めとラグ端子の柱部の曲がり、歪みを無くした請求項１記載の電子楽器、マイクロフォン、アンプ等を接続するピンプラグ
【考案の詳細な説明】
【技術分野】
【０００１】
この考案は電子楽器やマイクロフォン、アンプ等機器を接続するピンプラグに関する。
【背景技術】
【０００２】
電子楽器、マイクロフォン、アンプはプラグ又はピンプラグを一端又は両端に一体的に接続したケーブルにより、そのプラグ又はピンプラグをそれぞれの機器に設けられたジャック又はピンジャックに差し込み接続して使用する。
【０００３】
ピンプラグはフランジ内に一方の電極のピンをフランジ及び他方の電極のラグ端子との間をベークライト、ジュラコン等の絶縁材で隔離し、ラグ端子と導通状態となるフランジの一端でカシメ固定して製造する。
【０００４】
音楽を鑑賞する機器に於いては、これらの接続は、単に電流を流すのではなく、音を正確に伝達する事を意味し、厳選された材料が選択され電極間絶縁材としては絶縁性の高いフッ素樹脂が望まれている。
【０００５】
しかしフッ素樹脂は摩擦係数が小さい為に、前述の絶縁材をフッ素樹脂にした場合、カシメ固定後ラグ端子に対しピンが簡単に回転する、フランジに対してラグ端子が回転する等がある為に、採用できないでいる。
【考案の開示】
【考案が解決しようとする課題】
【０００６】
本考案は前述した課題に鑑み、絶縁材をフッ素樹脂にしても、カシメ固定後ピンの回転、ラグ端子の回転を無くしたピンプラグの提供をすることである。
【課題を解決するための手段】
【０００７】
前述の課題を解決するために、ピンプラグのピンの絶縁材との接触面にローレット加工、ショットブラスト加工等の荒らし加工を施して、フッ素樹脂を絶縁材とした場合に、カシメの圧力によりフッ素樹脂が圧縮されピンの荒れた面に食い込み密着を良くし、フッ素樹脂とピンの回転を止める。
【０００８】
フランジの一端のカシメ部の一部をラグ端子の柱部の幅切りかけて、ラグ端子をかしめた際に柱部にカシメ部が当たらなくして、ラグ端子を均一にカシメ、フッ素樹脂に均一な圧力を加えると共にラグ端子の回転を止め、ピン、ラグ端子柱部の曲がり、歪みをなくする。
【考案の効果】
【０００９】
本考案のピンプラグはピンの絶縁材との接触面にローレット加工、ショットブラスト加工等の荒らし加工を施して、ピンと絶縁材の密着を良くし、フランジのカシメ部を切りかけてラグ端子の回転止めすると共に均一なカシメとし、絶縁材をフッ素樹脂にしてもピンの緩み、ラグ端子の回転を無くし、電極間の絶縁材にフッ素樹脂を採用して、電極間の絶縁性の良い、音質等に影響を及ぼさないピンプラグとした。
【考案を実施するための最良の形態】
【００１０】
本考案の実施の形態を、図面を参照しつつ説明する。
【００１１】
ピンプラグの縦断面を図１に示す。ピンプラグはピン１、フランジ２，ラグ端子３，絶縁材４、５をフランジ２とフランジの一端のカシメ部２−１をかしめ一体化した本体Ａとフランジの外径ネジに螺着接続されたキャップ６で構成されている。
【００１２】
フランジ２は一端にピンジャックの外面に挿入着脱する挿入部２−２、他端にラグ端子３の柱部３−２の幅以上の切りかけを有するリング状のカシメ部２−１を形成した筒の内面に、カシメ部側から挿入する絶縁材４−１を当接支持する小径の段２−３と、外面にキャップ５を取り付けるネジ２−４を有する。
【００１３】
ピン１は一端にピンジャックへの差し込むピン部１−１，他端にケーブルの芯線を接続する接続部１−２，中間に絶縁材４の内筒の段４−２に当接支持する大径部１−３が形成されていて、該大径部１−３の絶縁材４との接触面１−４にはローレット加工、ショットブラスト加工等の荒らし加工が施されている。
【００１４】
ラグ端子は一端にリング状のリング３−１、リング３−１の外端を折り曲げ立ち上げた柱部３−２、柱部３−２の他端に帯状に丸めた圧着部３−３で構成されている。
【００１５】
フランジ２にカシメ部２−１側より段２−３に当接する鍔４−１とピン１の大径部１−３と当接する段４−２を有する絶縁材４、ピン１、外径がフランジ２の内径に適合し内径がピン１の接続部１−２の外径に適合するリング状の絶縁材５の順に挿入して、フランジ２の段２−３に絶縁材４の鍔４−１、絶縁材４の段４−２にピン１の大径部１−３がそれぞれ当接するまで押し込む。
【００１６】
さらにラグ端子３をラグ端子３の柱部３−２をフランジ２の切りかけ部２−５に位置合わせして挿入しカシメ治具によりフランジ２のカシメ部２−１を圧縮かしめて、フランジ２とラグ端子３に対しピン１を絶縁材４、５により絶縁した状態で一体化して本体Ａとし、キャップ６をフランジ２のネジ２−４に螺着し完成する。
【００１７】
フランジ２のカシメ部２−１に切りかけ部２−５を設けラグ端子３の柱部３−２を避けてカシメをするのでカシメがスムーズで均一なカシメで、カシメ部分がラグ端子の回転止めとなると共に絶縁材４及び５を均一に圧縮し、ピン１の接触面１−４に施された荒し加工に絶縁材４が均一に食い込み、ピン１の回転を無くする。
【００１８】
また、ラグ端子３の柱部３−２を避けてカシメをするので柱部３−２にカシメ力が加わらず、柱部３−２が曲がり、歪みが無く、絶縁性の良いピンプラグとなる。
【００１９】
フランジのカシメ部にラグ端子の柱部を避ける為の切りかけ部を設け、ピンの絶縁材との接触面に荒し加工を施し、ピンと絶縁材の密着を良くしてピンの回転を止めることであり、各部品のその他の形状はこれに限るものではない。
【図面の簡単な説明】
【００２０】
【図１】ピンプラグの縦断面図
【図２】フランジの縦断面図
【図３】ピンの正面図
【図４】ラグ端子の正面図
【図５】ラグ端子のＡ−Ａ”断面図
【符号の説明】
【００２１】
１―――ピン            ２―――フランジ      ３―――ラグ端子
４―――絶縁材          ５―――絶縁材        ６―――キャップ
１−４―――接触面      ２−１―――カシメ部
２−５―――切りかけ部  ３−２―――柱部
【図１】
0003138521.tif 000003
【図２】
0003138521.tif 000004
【図３】
0003138521.tif 000005
【図４】
0003138521.tif 000006
【図５】
0003138521.tif 000007